(57)【要約】母線（２）および締付ばね（３）を備えたばね力締付要素（１）であって、締付ばね（３）は、装着脚（４）、装着脚（４）に続くばねアーチ（５）、およびばねアーチ（５）に続く、ばねアーチ（５）から伸長する主セクション（８）および母線（２）の方向に向けられた締付セクション（７）を備えた締付脚（６）を有する、該ばね力締付要素（１）が記載される。締付セクション（７）は、締付端縁（１１）と母線（２）との間に電気導体を挟み付けるための締付位置を形成するために、締付セクション（７）の自由端部に該締付端縁（１１）を有する。締付セクション（７）が、主セクション（８）から母線（２）の方向に曲げられた第１セクション（９）と、および第１セクション（９）に続いて、主セクション（８）の伸長方向に再び曲げ戻された、締付端縁（１１）を有する第２セクション（１０）と、を有する。締付端縁（１１）が母線（２）に当接している、電気導体が挿入されていない締付ばね（３）の当接状態において、第１セクション（９）はばねアーチ（５）から出発する締付ばね（３）の伸長方向（ＦＲ）に見て母線（２）に対して鈍角αを形成し、および第２セクション（１０）は母線（２）に対して鋭角βを形成する。【選択図】図１
2016507145.tif 000002
【特許請求の範囲】
【請求項１】
母線（２）および締付ばね（３）を備えたばね力締付要素（１）であって、締付ばね（３）は、装着脚（４）と、装着脚（４）に隣接するばねアーチ（５）と、ばねアーチ（５）に隣接する締付脚（６）であって、ばねアーチ（５）から離れて伸長する主セクション（８）および母線（２）の方向に向けられた締付セクション（７）を備えた締付脚（６）と、を有し、締付セクション（７）は、締付端縁（１１）と母線（２）との間で電気導体を締め付けるための締付位置を形成するために、締付セクション（７）の自由端部に該締付端縁（１１）を有する、該ばね力締付要素（１）において、
締付セクション（７）が、主セクション（８）から母線（２）の方向に曲げられた第１セクション（９）と、第１セクション（９）に隣接し、主セクション（８）の伸長方向に曲げ戻された、締付端縁（１１）を有する第２セクション（１０）と、を有し、締付端縁（１１）が母線（２）に当接している、電気導体が挿入されていない締付ばね（３）の不使用状態において、第１セクション（９）は、ばねアーチ（５）から延びる締付ばね（３）の伸長方向（ＦＲ）に見て母線（２）に対して鈍角αを形成し、第２セクション（１０）は母線（２）に対して鋭角βを形成することを特徴とするばね力締付要素（１）。
【請求項２】
第１セクション（９）が、不使用状態において、母線（２）に対して９０ないし１２０度の角度αを形成することを特徴とする請求項１に記載のばね力締付要素（１）。
【請求項３】
第２セクション（１０）が、不使用状態において、母線に対して１０ないし６０度の角度βを形成することを特徴とする請求項１または２に記載のばね力締付要素（１）。
【請求項４】
締付セクションの第１セクション（９）および第２セクション（１０）間の内角（δ）が７０ないし１７０度の値を有することを特徴とする請求項１ないし３のいずれかに記載のばね力締付要素（１）。
【請求項５】
締付セクション（７）が主セクション（８）より幅が狭いことを特徴とする請求項１ないし４のいずれかに記載のばね力締付要素（１）。
【請求項６】
母線（２）が、締付ばね（３）の締付端縁（１１）と共に締付位置を形成する接点端縁（２９）を有することを特徴とする請求項１ないし５のいずれかに記載のばね力締付要素（１）。
【請求項７】
締付ばね（３）の締付端縁（１１）が、不使用状態において、ばねアーチ（５）から延びる締付ばね（３）の伸長方向（ＦＲ）に見て接点端縁（２９）の手前側に位置することを特徴とする請求項６に記載のばね力締付要素（１）。
【請求項８】
母線（２）が、
相互に間隔をなす２つのサイドウェブ（１３）およびサイドウェブ（１３）を相互に結合するクロスウェブ（１４）と、
サイドウェブ（１３）およびクロスウェブ（１４）により境界が形成された導体貫通開口（１６）と、を備えたフレーム要素（１２）を有し、
フレーム要素（１２）は、母線（２）から離れて締付ばね（３）の装着脚（４）の方向に伸長し、装着脚（４）がクロスウェブ（１４）に支持されていることを特徴とする請求項１ないし７のいずれかに記載のばね力締付要素（１）。
【請求項９】
フレーム要素（１２）が、母線（２）と共に単一部品として形成されているか、または母線（２）とは別体の部分であることを特徴とする請求項８に記載のばね力締付要素（１）。
【請求項１０】
絶縁材ハウジング（１８）と、および絶縁材ハウジング（１８）内の、請求項１ないし９のいずれかに記載の少なくとも１つのばね力締付要素（１）と、を備えた結合端子（１７）。
【請求項１１】
絶縁材ハウジング（１８）が、主セクション（８）および母線（２）との間の導体受入空間内に開口する、導体挿入方向（ＬＲ）に伸長する少なくとも１つの導体挿入開口（２０）を有し、締付セクション（７）の曲げられた第１セクション（９）が、導体挿入方向（ＬＲ）を横切るように、導体挿入方向（ＬＲ）に対して７０ないし１２０度の角度を形成することを特徴とする請求項１０に記載の結合端子（１７）。
【発明の詳細な説明】
【技術分野】
【０００１】
本発明は、母線および締付ばねを備えたばね力締付要素であって、締付ばねは、装着脚、装着脚に続くばねアーチ、およびばねアーチから装着脚とは反対方向に伸長する主セクションおよび母線の方向に向けられた締付セクションを備えた締付脚を有し、この場合、締付セクションは、締付端縁と母線との間に電気導体を挟み付けるための締付位置を形成するために、締付セクションの自由端部に該締付端縁を有する、該ばね力締付要素に関するものである。
【０００２】
本発明は、さらに、絶縁材ハウジングと、および絶縁材ハウジング内の、このような少なくとも１つのばね力締付接続部と、を備えた結合端子に関するものである。
【背景技術】
【０００３】
Ｕ形状に曲げられた板ばねを備えたばね力締付要素は種々の形状において既知である。ドイツ特許第１９６５４６１１Ｂ４号は、母線部材およびＵ形状板ばねを備えた、単線または多線電気導体用ばね力締付接続部を開示する。母線部材は、相互にコーナー角を形成する保持脚および接点脚を有する。この場合、保持脚は板ばねを保持するように働き、且つその背部が導体挿入方向に対して直角となるように配置され且つ電気導体を貫通させるための貫通部を有する。接点脚は保持脚のコーナー角の頂点に直接続き且つ頂点から離れるように導体挿入方向に伸長する。板ばねは、背側のばねアーチおよびそれに続く２つのばね脚を有するＵ形状の開放ループの形に成形され、ばね脚のうちの一方は自由な締付脚として形成され、締付脚はその自由端部が導体挿入開口内に伸長し且つ鋭角を有して母線部材の接点脚の方向に向けられている。自由な締付セクションは締付脚の主セクションに対して母線方向に僅かに曲げられているので、主セクションは、母線に対して、締付脚の自由な締付セクションよりも小さい鋭角を形成している。
【０００４】
ドイツ特許第１０２００４０４５０２６Ｂ３号は、締付脚が、主セクションから出発して、はじめに母線にほぼ平行に、ないしはばねアーチから出発する装着脚の伸長方向を向く方向に曲げられ、次にその自由端部に向かって再び母線の方向に曲げ戻された該締付脚を備えた電気接続／結合端子を示す。したがって、締付ばねの締付脚は屈曲部を有し、屈曲部は、締付脚のばね力の方向に向けられているので、屈曲部により、締付ばねを開放するための操作工具の先端のための改良された係合点が形成されている。
【０００５】
さらに、ドイツ特許公開第１０２００５０４８９７２Ａ１号から、Ｕ形状に曲げられた締付ばねが母線の方向に向けられた締付脚を有するばね力締付接続部を備えた導体板接続端子が既知である。この締付脚は、自由端部領域内において、曲がりやすいように設計されている。
【先行技術文献】
【特許文献】
【０００６】
【特許文献１】ドイツ特許第１９６５４６１１Ｂ４号
【特許文献２】ドイツ特許第１０２００４０４５０２６Ｂ３号
【特許文献３】ドイツ特許公開第１０２００５０４８９７２Ａ１号
【発明の概要】
【発明が解決しようとする課題】
【０００７】
このことから出発して、本発明の課題は、フレキシブルな導体の直接差込みが妨害される、改良されたばね力締付要素および改良された結合端子を提供することである。
【課題を解決するための手段】
【０００８】
この課題は、請求項１の特徴を有するばね力締付要素並びに請求項１１の特徴を有する結合端子により解決される。有利な実施形態が従属請求項に記載されている。
このタイプのばね力締付要素およびこのようなばね力締付要素を備えた結合端子に対して、締付セクションが、主セクションから母線の方向に曲げられた第１セクションと、第１セクションに隣接し、主セクションの伸長方向に曲げ戻された第２セクションと、を有し、第２セクションは締付端縁を有することが提案される。締付端縁が母線に当接している、電気導体が挿入されていない締付ばねの不使用状態において、第１セクションはばねアーチから延びる締付ばねの伸長方向に見て母線に対して鈍角を形成し、一方、第２セクションは母線に対して鋭角を形成する。
【０００９】
これにより、電気導体は、母線に対して鋭角を形成する第２セクションにより、締付ばねのばね力を用いて母線に締め付けられ且つ締付端縁の電気導体への固定により電気導体の引抜きが阻止される。これは、母線に対する第２セクションの鋭角により達成される。
【００１０】
これに対して、母線方向に曲げられた第１セクションは、導体挿入方向および母線に対して相対的に、本質的により大きく傾斜され、且つ締付端縁に隣接する母線領域の面に対して鈍角を形成している。これにより、第１セクションは導体挿入方向を横切るように配置され且つ特に多線電気導体の直接挿入を阻止し、多線電気導体は挿入するときに第１セクションに対して鈍角で衝当する。したがって、締付端縁および母線により形成された締付位置は、はじめに、締付ばねの締付脚の、母線から離れて装着脚の方向への移動により開放される。次に、電気導体は、母線と締付ばねの締付端縁との間を案内され、続いて締付ばねが再び閉鎖するので、締付ばねの締付端縁は締付ばねのばね力により電気導体を押圧し且つ電気導体を母線に対して押圧する。これにより、締付ばねのばね力により、締付端縁を介して、電気導体およびそれに向かい合う母線の接点端縁に面圧が与えられる。
【００１１】
したがって、第１セクションの構成にとって、多線電気導体に対して設計されたばね力締付要素の公称断面内への多線電気導体の直接挿入を確実に阻止するために、第１セクションが導体挿入方向を横切るように配置されることが重要である。これに対して、鋭角にある第２セクションの構成にとっては、鋭角により、締付位置における電気導体の確実な締め付けおよび保持が保証されていることが重要である。
【００１２】
この場合、第１セクションは、不使用状態において、母線に対して９０ないし１２０度の角度を形成することが好ましい。結合端子の絶縁材ハウジング内における導体挿入開口の伸長方向により本質的に与えられる導体挿入方向に関して、第１セクションが、導体挿入方向に対して、母線の傾斜角だけ低減された角度を、即ち実際には約７０ないし１２０度未満の角度を形成してもよい。
【００１３】
第２セクションは、不使用状態において、母線に対して約１０ないし６０度、好ましくは約３０ないし６０度の角度を形成することが好ましい。
好ましい実施形態においては、締付セクションの第１セクションおよび第２セクション間の内角は約７０ないし１７０度、好ましくは約９０ないし１７０度の値を有している。これにより、一方で第１セクションにより多線電気導体の直接差込みが阻止され、且つ他方で電気導体が機械的且つ電気的に確実に締め付けられることが保証される。
【００１４】
さらに、締付セクションが締付ばねの主セクションより幅が狭いとき、それは有利である。これにより、締付ばねが、締付ばねの操作のために利用可能な、締付セクションよりも横に突出している端縁領域を有することが達成される。さらに、主セクション内における締付ばねのより大きい幅により、締付ばねのばね力は、主セクションが締付セクションと同様に狭い実施形態に比較して増大される。さらに、母線が、締付ばねの締付端縁と共に締付位置を形成する接点端縁を有するとき、それは有利である。母線に所定の接点端縁を形成することにより、締付ばねの締付力はこの接点端縁に集中され、これにより、締付ばねのばね力から得られる面圧が最適化される。
【００１５】
特に有利な実施形態においては、母線は、相互に間隔をなす２つのサイドウェブおよびサイドウェブを相互に結合するクロスウェブと、サイドウェブおよびクロスウェブにより境界が形成された導体貫通開口と、を備えたフレーム要素を有する。この場合、フレーム要素は母線から離れて締付ばねの装着脚の方向に伸長するので、装着脚はクロスウェブに支持可能である。このために、装着脚はクロスウェブに係止されている。
【００１６】
フレーム要素は、母線と共に単一部品として形成されても、または母線とは別の部分であってもよい。母線のフレーム要素が装着セクションの延長として締付ばねと共に単一部品として成形され且つ母線に係止されていることもまた考えられる。
【００１７】
フレーム要素により、締付ばねがフレーム要素を介して母線に固定されている自己支持型ばね力締付要素が提供される。このとき、この自己支持型ばね力締付要素は、このように予め組み立てられて結合端子の絶縁材ハウジング内に組み込まれ且つそれに続いて結合端子を完成させるために結合端子が閉鎖可能である。
【００１８】
絶縁材ハウジングおよび少なくとも１つの上記ばね力締付要素を備えた結合端子の有利な一実施形態は、絶縁材ハウジングが、主セクションおよび母線の間の導体受入空間内に開口する、導体挿入方向に伸長する少なくとも１つの導体挿入開口を有し、この場合、締付セクションの曲げられた第１セクションが、導体挿入方向を横切るように、導体挿入方向に対して約７０ないし１２０度の角度を形成するように設計されていることが好ましい。
【００１９】
以下に本発明が添付図面を用いて一実施例により詳細に説明される。
【図面の簡単な説明】
【００２０】
【図１】図１は、締付ばね、母線およびフレーム要素を備えたばね力締付要素の側面図を示す。
【図２】図２は、図１からのばね力締付要素の側断面図を示す。
【図３】図３は、並列に配置された３つの締付ばねを備えた、図１および２からのばね力締付要素の斜視図を示す。
【図４】図４は、操作レバーが開放された、その中に組み込まれたばね力締付要素を備えた結合端子の側断面図を示す。
【図５】図５は、操作レバーが閉鎖された、図４からの結合端子の側断面図を示す。
【発明を実施するための形態】
【００２１】
図１は、母線２および締付ばね３を備えたばね力締付要素１の側面図を示す。締付ばね３はＵ形状に曲げられ且つ装着脚４およびそれに続くばねアーチ５を有し、ばねアーチ５は締付脚６に移行する。締付脚６は、その自由端部領域に、母線の方向に向けられた締付セクション７を有する。この締付セクション７は、締付脚６の主セクション８に続き、この場合、主セクション８はばねアーチ５から伸長する。この主セクション８は導体挿入方向ＬＲ（導体差込方向）および隣接する装着脚４の伸長方向にほぼ平行である。
【００２２】
主セクション８に続く締付セクション７は、主セクション８から母線２の方向に曲げられた第１セクション９およびそれに続く第２セクション１０を有することがわかる。第２セクション１０はその自由端部に締付端縁１１を有する。
【００２３】
第１セクション９は、本質的に、第２セクション１０の母線２に対する角度βよりも本質的に大きい、母線２に対する鈍角αを形成していることがわかる。
この場合、第２セクション１０は母線２に対して鋭角を形成しているので、角度はβ＜９０度である。図示の実施例においては、角度βは約５０度の値を有する。
【００２４】
これに対して、第１セクション９は母線に対して鈍角α（α≧９０度）を形成し且つ図示の実施例においては約１０５度の値を有する。この結果、第１セクション９は、導体挿入方向ＬＲを横切る方向に配置され、これにより、絶縁材ハウジングの導体挿入開口内を横切るように配置されている。したがって、挿入された電気導体は第１セクション９に対して鈍角で衝当するので、特に多線電気導体においては、締付セクション７を母線２から持ち上げることによる締付ばねの自動開放は阻止されるかまたはこのような自動開放は少なくとも困難となる。
【００２５】
第１セクション９は第２セクション１０より長いことが好ましい。
母線２は導体挿入方向ＬＲに対して僅かに傾斜されていることがわかる。したがって、第１セクション９の母線２に対する鈍角αとは、また、第１セクション９の導体挿入方向ＬＲに対する約７０ないし１５０度の角度を意味することもわかる。
【００２６】
さらに、挿入されていない図示の状態において締付ばね３の締付セクション７が当接する母線２の主セクションに、装着脚４の方向に曲げられたセクションが続くことがわかる。このセクションは、相互に間隔をなす２つのサイドウェブ１３およびこれらのサイドウェブ１３を自由端部において結合するクロスウェブ１４によりフレーム要素１２を形成する。自由端部を有する電気導体を、締付位置から出発して導体挿入方向ＬＲにさらにフレーム要素１２を貫通させるために、サイドウェブ１３およびクロスウェブ１４並びに母線２の主セクションの間に導体貫通開口１６が形成される。
【００２７】
装着脚４は、装着脚４の曲げ自由端部１５がフレーム要素１２の上部クロスウェブ１４の下側に係合するように、曲げ自由端部１５によってフレーム要素１２に係止されていることがわかる。したがって、締付ばねの力により装着脚４はフレーム要素１２に保持され、一方、締付ばね３の締付セクション７は向かい合う母線２に対して力を与える。これにより、ばね力締付要素１は自己支持型に設計されている。
【００２８】
図２は、図１からのばね力締付要素１の側断面図を示す。この場合、フレーム要素１２の導体貫通開口１６は、サイドウェブおよび上部クロスウェブ１４並びに母線２の下部主セクションにより境界が形成されていることがわかる。装着脚４の曲げ自由端部１５が上部クロスウェブ１４の下側に係止されていることもまたわかる。
【００２９】
図３は、図１および２からのばね力締付要素１の斜視図を示す。この場合、母線２は複数の締付ばね３の並列方向を横切るように伸長するので、締付ばね３は共通の母線２を有することがわかる。したがって、個々のばね力締付接続部１に挟み付けられた電気導体は共通の母線２を介して相互に導電結合可能である。
【００３０】
締付ばね３の締付脚６の締付セクション７の第１セクション９は導体挿入方向ＬＲを横切るように配置され且つフレーム要素１２の伸長方向に対してほぼ平行であることがわかる。しかしながら、それに続いて、締付脚６の主セクション８の方向に再び曲げ戻された第２セクション１０がこの第１セクション９に続くこともまたわかる。
【００３１】
さらに、締付ばね３はそれぞれ相互に間隔をなして配置され且つそれぞれの付属フレーム要素１２に係止されていることがわかる。この場合、フレーム要素１２は相互に間隔をなしているので、隣接フレーム要素１２の隣接するサイドウェブ１３の間に中間空間が存在する。この中間空間は、図示されていない操作レバーおよび／またはハウジング中間壁のセクションを受け入れるために利用可能である。
【００３２】
図４は、上記ばね力締付要素１がその中に組み込まれている絶縁材ハウジング１８を備えた結合端子１７の一実施形態の側面図を示す。この場合、絶縁材ハウジング１８は２つの部分として設計され且つ絶縁材料からなるハウジング部分１９を有し、ハウジング部分１９内の正面側に導体挿入開口２０が設けられている。導体挿入開口２０は導体挿入方向ＬＲに伸長する。絶縁材ハウジング１８内にさらに操作レバー２１が組み込まれている。この操作レバー２１は、部分円形（換言すれば、扇形）軸受セクション２２を用いて、それに適合された、絶縁材ハウジング１８の部分円形軸受輪郭２３により支持されている。この場合、軸受セクション２２は、幅方向において少なくともその一部が横方向にオフセットされてばね力締付要素１に隣接し、および高さ方向において母線２の面と締付ばね３の装着脚４の面との間の空間内に存在する。操作レバー２１はＵ形状操作レバーとして設計され且つ相互に間隔をなす２つの側壁セクション２４を有し、側壁セクション２４は軸受領域２２から自由端部に向けて先細りに伸長する。自由端部領域内において、側壁セクション２４は横方向に伸長するグリッププレート２５を介して相互に結合されている。
【００３３】
側壁セクション２４とグリッププレート２５との間に形成された自由空間は、このとき、絶縁材ハウジング１８の外壁と、および一部当該外壁の下側に存在するばね力締付要素１とを受け入れるためにも利用可能であり、このようにして、コンパクトに構成された結合端子１７を提供可能である。軸受領域２２が操作輪郭２６を有し、操作輪郭２６は、操作レバー２１の図示の開放状態において締付脚６と係合することがわかる。このために、締付脚６の横端縁領域が操作輪郭２６に当接するので、締付脚６の第２セクション１０は母線２から離れて装着脚４の方向に締付ばね３の締付力に抗して移動される。これにより、接続されるべき電気導体の締付位置が開放され且つ電気導体はその裸自由端部を導体挿入方向ＬＲに導体挿入開口２０を介して案内可能である。次に、電気導体（図示されていない）の自由端部は、導体挿入方向ＬＲに見てフレーム要素１２の後方に位置する導体受入空間２７内に入り込む。
【００３４】
さらに、操作レバー２１およびばね力締付要素１を組み込んだのちに絶縁材ハウジング１８はカバー２８により閉鎖され、カバー２８は、背側において、即ち導体挿入開口２０に向かい合う側において、ハウジング部分１９と固定されることがわかる。
【００３５】
図５は、操作レバー２１が閉鎖された、図４からの結合端子１７の側面図を示す。ここでは操作輪郭２６はもはや締付ばね３の締付脚６に作用していないので、締付脚６の締付端縁１１が母線２に当接していることがわかる。電気導体が挟み付けられた場合、電気導体は、このとき、締付端縁１１と母線２の接点端縁２９との間に存在するので、締付端縁１１および接点端縁２９は締付位置を形成することになる。電気導体は、このとき、締付ばね３の力により締付位置に締め付けられて固定され、且つ母線２、および導体挿入方向ＬＲ、および締め付けられた電気導体に対して鋭角を形成する第２セクション１０により、機械的に引き抜かれないことが保証されることになる。
【符号の説明】
【００３６】
１  ばね力締付要素
２  母線
３  締付ばね
４  装着脚
５  ばねアーチ
６  締付脚
７  締付セクション
８  主セクション
９  第１セクション
１０  第２セクション
１１  締付端縁
１２  フレーム要素
１３  サイドウェブ
１４  クロスウェブ
１５  曲げ自由端部
１６  導体貫通開口
１７  結合端子
１８  絶縁材ハウジング
１９  ハウジング部分
２０  導体挿入開口
２１  操作レバー
２２  軸受セクション
２３  軸受輪郭
２４  側壁セクション
２５  グリッププレート
２６  操作輪郭
２７  導体受入空間
２８  カバー
２９  接点端縁
ＦＲ  ばねアーチから出発する締付ばねの伸長方向
ＬＲ  導体挿入方向
α、β、δ  角度
【図１】
2016507145.tif 000003
【図２】
2016507145.tif 000004
【図３】
2016507145.tif 000005
【図４】
2016507145.tif 000006
【図５】
2016507145.tif 000007
【国際調査報告】
2016507145.tif 000008
2016507145.tif 000009
2016507145.tif 000010
2016507145.tif 000011
2016507145.tif 000012
2016507145.tif 000013